(57)【要約】【課題】詰め替え作業を簡便に行うことができ、詰め替え時に内容物をこぼしにくく、また、本容器内の内容物が残留している場合であっても詰め替え作業を行うことができる詰め替え容器を提供すること。【解決手段】本容器に詰め替える内容物が収容される容器本体２と、容器本体２の口部から上方に向けて延在すると共に、本容器の注入口内に差し込み可能であり、かつ先端部に注出口３ａが形成された注出筒３と、注出筒３を閉塞すると共に、注出口３ａの開口周縁部に破断可能な弱化部７を介して連結された閉塞板４と、閉塞板４に連結された操作突片５と、を備え、操作突片５が、一端部１１ａが閉塞板４に連結され、他端部１１ｂが注出筒３の径方向外側に配置される突片本体部１１と、突片本体部１１の他端部１１ｂから下方に向けて延在し、本容器の外側に位置される操作部１２と、を備える。【選択図】図１
2014129116.tif 000002
【特許請求の範囲】
【請求項１】
本容器に詰め替える内容物が収容される容器本体と、
前記容器本体の口部から容器軸方向に沿う前記容器本体の外側に向けて延在すると共に、前記本容器の注入口内に差し込み可能であり、かつ先端部に注出口が形成された注出筒と、
前記注出筒を閉塞すると共に、前記注出口の開口周縁部に破断可能な弱化部を介して連結された閉塞板と、
前記閉塞板に連結された操作突片と、を備え、
前記操作突片が、
一端部が前記閉塞板に連結され、他端部が前記注出筒の径方向外側に配置される突片本体部と、
前記突片本体部の前記他端部から前記容器軸方向に沿う前記容器本体の内側に向けて延在し、前記本容器の外側に位置される操作部と、を備えることを特徴とする詰め替え容器。
【請求項２】
前記突片本体部が、前記本容器における前記注入口の開口端縁上を径方向で跨ぐように径方向に沿って延在することを特徴とする請求項１に記載の詰め替え容器。
【請求項３】
前記突片本体部の前記一端部及び前記他端部が、前記容器軸を径方向に挟む両側に各別に配置されていることを特徴とする請求項１または２に記載の詰め替え容器。
【請求項４】
前記注出筒の径方向外側には、前記本容器の前記注入口の開口端縁上に配置される当接部が設けられていることを特徴とする請求項１から３のいずれか１項に記載の詰め替え容器。
【請求項５】
前記閉塞板が、外周縁の一部が前記弱化部に連結される複数の平板部分に区画され、
前記複数の平板部分のうち前記突片本体部の前記一端部が連結された平板部分が、前記弱化部から離間するにしたがって漸次前記容器軸方向に沿う一方に向けて延在するように傾斜していることを特徴とする請求項１から４のいずれか１項に記載の詰め替え容器。
【発明の詳細な説明】
【技術分野】
【０００１】
本発明は、詰め替え容器に関する。
【背景技術】
【０００２】
従来、この種の詰め替え容器として、例えば特許文献１に記載されたような、本容器に詰め替える内容物が収容される容器本体と、容器本体の口部に装着され、口部を閉塞する中栓と、を備え、中栓を本容器の口部に螺着させた状態で詰め替えを行う詰め替え容器が知られている。この中栓には、内容物を注出するための注出口が形成されていると共に、注出口を閉塞するシール部が設けられている。シール部は、例えばプルトップが付設された蓋体からなる。
【０００３】
このような詰め替え容器では、まずプルトップを引き上げて、中栓の注出口を開封する。そして、詰め替え容器を正立姿勢（口部が上方を向く姿勢）とし、倒立姿勢（口部が下方を向く姿勢）とされた本容器の口部を、詰め替え容器の中栓に螺着する。この状態から、詰め替え容器と本容器とを上下反転させ、本容器を正立姿勢とすると共に、詰め替え容器を倒立姿勢にする。これにより、詰め替え容器内の内容物は、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記従来の詰め替え容器では、中栓の注出口を開封した後、中栓に本容器の口部を螺着し、その後、詰め替え容器と本容器とを上下反転させる必要があるので、詰め替え作業が煩雑となっていた。
また、中栓の注出口を開封した後で、この中栓に対して本容器の口部を螺着するので、その螺合作業中に誤って詰め替え容器を倒すと、詰め替え容器内の内容物が零れ出るおそれがあった。
さらに、中栓に本容器の口部を螺着する際には、この本容器を倒立姿勢とするので、本容器内に内容物が残留していると、内容物が零れるおそれがある。したがって、本容器内の内容物を使い切った後でないと、詰め替え作業を行いにくかった。
【０００６】
本発明は、前述の課題に鑑みてなされたもので、詰め替え作業を簡便に行うことができ、詰め替え時に内容物を零しにくく、また、本容器内の内容物が残留している場合であっても詰め替え作業を行うことができる詰め替え容器を提供することを目的とする。
【課題を解決するための手段】
【０００７】
本発明は、上記のような課題を解決するために以下のような手段を採用した。すなわち、本発明の詰め替え容器は、本容器に詰め替える内容物が収容される容器本体と、前記容器本体の口部から容器軸方向に沿う前記容器本体の外側に向けて延在すると共に、前記本容器の注入口内に差し込み可能であり、かつ先端部に注出口が形成された注出筒と、前記注出筒を閉塞すると共に、前記注出口の開口周縁部に破断可能な弱化部を介して連結された閉塞板と、前記閉塞板に連結された操作突片と、を備え、前記操作突片が、一端部が前記閉塞板に連結され、他端部が前記注出筒の径方向外側に配置される突片本体部と、前記突片本体部の前記他端部から前記容器軸方向に沿う前記容器本体の内側に向けて延在し、前記本容器の外側に位置される操作部と、を備えることを特徴とする。
【０００８】
この場合では、詰め替え容器から本容器に内容物を詰め替えるときに、倒立姿勢とした詰め替え容器の注出筒を本容器の注入口内に差し込んだ状態で、本容器の外側に位置する操作部を引き上げることによって注出口を開口するので、本容器を正立姿勢としたままで内容物を詰め替えることができる。
すなわち、詰め替え容器と本容器とを組み合わせた後に操作部を引くと、閉塞板を介して弱化部に引張力が付与され、弱化部が破断される。これにより、注出口が開口し、注出口を介して詰め替え容器の容器本体内と本容器内とが連通し、容器本体内の内容物が注出筒の内側を通って本容器内に注出され、詰め替え容器から本容器内に内容物が詰め替えられる。
このように、詰め替え容器の注出筒を本容器の注入口に差し込んだ状態で、操作突片の操作部を引くという簡便な作業によって内容物を詰め替えるので、詰め替え作業が簡便になる。また、詰め替え容器の注出筒を本容器の注入口に差し込むので、詰め替え容器を安定した姿勢で本容器に組み合わせることが可能となる。このとき、操作突片を引くときに詰め替え容器と本容器との相対位置がずれても、注出筒が注入口の内側で支持されるので、詰め替え容器を確実に安定した姿勢で本容器に組み合わせることが可能となる。そのため、内容物が零れにくくなる。そして、本容器を正立姿勢としたまま詰め替え作業が行えるので、本容器内に内容物が残留していても、詰め替え作業が行える。
【０００９】
また、本発明では、前記突片本体部が、前記本容器における前記注入口の開口端縁上を径方向で跨ぐように径方向に沿って延在してもよい。
この場合では、詰め替える際に、詰め替え容器の注出筒を本容器の注入口に差し込むだけではなく、突片本体部を本容器における注入口の開口端縁上に載置することが可能となるので、詰め替え容器をより確実に安定した姿勢で本容器と組み合わせることができる。
【００１０】
また、本発明では、前記突片本体部の前記一端部及び前記他端部が、前記容器軸を径方向に挟む両側に各別に配置されてもよい。
この場合では、突片本体部の操作部を引いたときに閉塞板に対してより大きなモーメントを作用させるので、閉塞板を容易にかつスムーズに捲ることができ、詰め替え作業がさらに簡便になる。
【００１１】
また、本発明では、前記注出筒の径方向外側には、前記本容器の前記注入口の開口端縁上に配置される当接部が設けられてもよい。
この場合では、詰め替え容器を本容器と組み合わせたときに、当接部が本容器の注出口の開口端縁上に配置されるので、詰め替え容器と本容器との組み合わせ姿勢がよりいっそう確実に安定する。
【００１２】
また、本発明では、前記閉塞板が、外周縁の一部が前記弱化部に連結される複数の平板部分に区画され、前記複数の平板部分のうち前記突片本体部の前記一端部が連結された平板部分が、前記弱化部から離間するにしたがって漸次前記容器軸方向に沿う一方に向けて延在するように傾斜してもよい。
この場合では、操作部を引っ張ったときに、弱化部のうち上記連結された平板部分の外周縁に連結する部分に引張力が集中して付与されるので、この部分を起点として弱化部全体をより容易に破断することができる。
【発明の効果】
【００１３】
この発明にかかる詰め替え容器によれば、詰め替え容器の注出筒を本容器の注入口に差し込んだ状態で操作突片の操作部を引っ張ることによって注出口を開放し、内容物を本容器に詰め替えるので、詰め替え作業が容易になる。ここで、注出筒を注入口に差し込んでいるので、詰め替え容器と本容器との組み合わせ姿勢が安定し、内容物が零れにくくなる。また、本容器を正立姿勢としたまま詰め替え作業を行うので、本容器内に内容物が残存していても、詰め替え作業が行える。
【図面の簡単な説明】
【００１４】
【図１】本発明の第１実施形態における詰め替え容器を示す軸方向部分断面図である。
【図２】図１の詰め替え容器を示す他の側面図である。
【図３】図１の詰め替え容器を示す平面図である。
【図４】図１の詰め替え容器を用いた内容物の詰め替え方法を説明する図である。
【図５】同じく、内容物の詰め替え方法を説明する図である。
【図６】同じく、内容物の詰め替え方法を説明する図である。
【図７】本発明の第２実施形態における詰め替え容器を示す軸方向部分断面図である。
【発明を実施するための形態】
【００１５】
以下、本発明における詰め替え容器の第１実施形態を、図面に基づいて説明する。なお、以下の説明に用いる各図面では、各部材を認識可能な大きさとするために縮尺を適宜変更している。
【００１６】
本実施形態における詰め替え容器１は、図１から図３に示すように、本容器Ｃ（図４参照）に詰め替える内容物が収容される有底筒状の容器本体２と、本容器Ｃの注入口Ｃａ内に差し込み可能とされ、注出口３ａが形成された注出筒３と、注出筒３の注出口３ａを閉塞する閉塞板４と、閉塞板４に連結された操作突片５と、を備える。
ここで、容器本体２及び注出筒３は、それぞれの中心軸線が共通軸上に位置された状態で配設されている。以下、この共通軸を容器軸Ｏと称し、図１において容器軸Ｏに沿って注出筒３側を上方、容器本体２側を下方とする。また、容器軸Ｏに直交する方向を径方向と称し、容器軸Ｏ回りに周回する方向を周方向と称する。
【００１７】
注出筒３は、図１から図３に示すように、容器本体２の口部から上方に向けて延在する円筒状をなしており、下端部に一体的に形成された装着筒６を介して容器本体２の口部に装着されている。この装着筒６は、容器本体２の口部に螺着されている。なお、装着筒６は、螺着に限らず、アンダーカット嵌合などにより容器本体２の口部に装着されてもよい。
【００１８】
閉塞板４は、注出口３ａの形状に倣って形成された円板状をなしており、注出口３ａの開口周縁部に破断可能な弱化部７を介して連結されている。閉塞板４は、注出筒３よりも薄肉とすることによって変形可能（例えば弾性変形可能）とされている。
【００１９】
操作突片５は、一端部１１ａが閉塞板４に連結されると共に他端部１１ｂが注出筒３の径方向外側に配置された突片本体部１１と、突片本体部１１の他端部１１ｂから下方に向けて延在すると共に本容器Ｃの外側に位置される操作部１２と、を備える。
突片本体部１１は、閉塞板４の上面、注出筒３の外周面及び装着筒６の上面に沿って延在するように側面視Ｚ字状に屈曲した帯状をなしており、一端部１１ａから他端部１１ｂまで順に連設された第１から第３延在部分１３〜１５を有する。
【００２０】
第１延在部分１３は、突片本体部１１の一端部１１ａから容器軸Ｏを挟んで径方向の反対側に向けて閉塞板４の上面に沿って延在している。
第２延在部分１４は、上端部が第１延在部分１３の他端部に連結されると共に、注出筒３の外周面に沿って下方に延在している。
第３延在部分１５は、径方向内側の一端部が第２延在部分の下端部に連結されると共に、本容器Ｃにおける注出口３ａの開口端縁上を径方向で跨ぐように装着筒６の上面に沿って径方向外側に向けて延在している。また、第３延在部分１５の一端部は、第１容易破断部１５ａを介して装着筒６の上面に連結されている。
【００２１】
操作部１２は、突片本体部１１の他端部１１ｂから装着筒６の外周面に沿って下方に向けて直線状に延在する帯状をなしている。操作部１２の下端部の周方向の幅は、突片本体部１１における第３延在部分１５の他端部に連結された上端部よりも広くなっている。また、操作部１２の下端部は、第２容易破断部１２ａを介して装着筒６の下端部に連結されている。これら第１及び第２容易破断部１５ａ、１２ａにより、詰め替え容器１の流通、保管時において操作突片５に対して意図せず外力が加わることによって弱化部７が破断されることを防止する。なお、第１及び第２容易破断部１５ａ、１２ａの一方または双方を設けなくてもよい。
【００２２】
次に、以上のような構成の詰め替え容器１から本容器Ｃに内容物を詰め替える方法について説明する。
まず、図４に示すように、詰め替え容器１を倒立姿勢にすると共に本容器Ｃを正立姿勢にした状態で、詰め替え容器１を本容器Ｃの上方に配置して詰め替え容器１と本容器Ｃとを組み合わせる。このとき、注出筒３を本容器Ｃの注出口３ａ内に差し込むので、詰め替え容器１と本容器Ｃとの相対的な位置がずれても、注出筒３が注入口Ｃａの内側で支持される。そのため、詰め替え容器１における注出筒３の本容器Ｃの注出口３ａに対する位置が安定する。また、操作突片５の第３延在部分１５が本容器Ｃにおける注出口３ａの開口端縁上を径方向で跨ぐように径方向に沿って延在しているので、操作突片５は、注出口３ａの開口端縁上に載置される。これによっても、詰め替え容器１と本容器Ｃとの組み合わせ姿勢が安定する。
【００２３】
続いて、図５に示すように、操作突片５の操作部１２を径方向外側に向けて斜め上方へ引っ張り、第１及び第２容易破断部１５ａ、１２ａを破断しながら、操作突片５を引き上げる。操作突片５を引き上げると、閉塞板４を介して弱化部７に引張力が付与され、弱化部７のうち操作突片５の一端部１１ａとの連結部分側が破断される。そして、閉塞板４は、操作突片５の一端部１１ａとの連結部分側から捲られていく。このとき、突片本体部１１の一端部１１ａと他端部１１ｂとが容器軸Ｏを径方向で挟む両側に位置しているので、操作突片５を引き上げた際に閉塞板４に対して大きなモーメントが作用し、閉塞板４がスムーズに捲られる。
【００２４】
その後、操作突片５の操作部１２をさらに引き上げていくと、弱化部７が破断されて閉塞板４が注出筒３から分離される。分離した操作突片５及び閉塞板４は、注出筒３と注入口Ｃａとの間の間隙から引き抜かれる。これにより、図６に示すように、閉塞していた注出口３ａが開放され、注出口３ａを通じて容器本体２内の内容物は、本容器Ｃ内に注出される。
以上のようにして、詰め替え容器１から本容器Ｃに内容物を詰め替える。
【００２５】
以上のような構成の詰め替え容器１によれば、倒立姿勢とした詰め替え容器１の注出筒３を本容器Ｃの注入口Ｃａに差し込んだ状態で操作突片５の操作部１２を引き上げることによって注出口３ａを開放し、内容物が詰め替えられるので、詰め替え作業が容易になる。
ここで、注出筒３を注入口Ｃａに差し込んでいるので、詰め替え容器１と本容器Ｃとの組み合わせ姿勢が安定する。このとき、操作突片５の第３延在部分１５を注出口３ａの開口端縁上に載置していることによっても、詰め替え容器１と本容器Ｃとの組み合わせ姿勢が安定する。これにより、詰め替え時に内容物が零れにくくなる。
また、本容器Ｃを正立姿勢としたまま詰め替え作業を行っているので、本容器Ｃ内に内容物が残留していても、詰め替え作業を行うことができる。
さらに、突片本体部１１の一端部１１ａと他端部１１ｂとが容器軸Ｏを径方向で挟む両側に位置しているので、操作突片５を引き上げた際に閉塞板４に対して大きなモーメントが作用し、閉塞板４を容易にかつスムーズに捲くることができる。これにより、詰め替え作業がさらに簡便になる。
【００２６】
次に、本発明による詰め替え容器の第２実施形態を、図面に基づいて説明する。なお、ここで説明する実施形態は、その基本的構成が上述した第１実施形態と同様であり、上述の第１実施形態に別の要素を付加したものである。したがって、図７においては、図１から図６と同一の構成要素に同一符号を付し、その説明を省略する。
【００２７】
本実施形態における詰め替え容器２０では、図７に示すように、本容器Ｃの注入口Ｃａの開口端縁上に配置される複数の当接部２１ａが注出筒２１の下端部の外周面から径方向外側に向けて突設されている。この当接部２１ａは、周方向に間隔をあけて配設されている。なお、当接部２１ａは、少なくとも１つ設けられていればよい。
また、閉塞板２２は、外周縁の一部が弱化部７に連結される２つの平板部分２２ａ、２２ｂに区画されている。平板部分２２ａは、操作突片５の一端部１１ａに連結されており、弱化部７から離間するにしたがって漸次上方（図７においては紙面下方）に向けて延在するように傾斜している。すなわち、平板部分２２ａは、平板部分２２ａに連結されている弱化部７から閉塞板２２の中央に向かうにしたがって漸次上方に向けて延在するように傾斜している。一方、平板部分２２ｂは、容器軸Ｏに対してほぼ垂直に延在している。なお、閉塞板２２は、３以上の平板部分に区画されてもよい。
【００２８】
以上のような構成の詰め替え容器２０によれば、上述した第１実施形態と同様の作用、効果を奏するが、詰め替え容器２０を本容器Ｃと組み合わせたときに当接部２１ａを本容器Ｃの注入口Ｃａの開口端縁上に配置することも可能となるので、詰め替え容器２０の本容器Ｃに対する組み合わせ姿勢がよりいっそう安定する。
また、平板部分２２ａが弱化部７から離間するにしたがって漸次上方に向かうように傾斜しているので、操作突片５を引き上げたときに弱化部７のうち平板部分２２ａの外周縁に連結された部分に引張力が集中し、この部分を起点として弱化部７全体をより容易に破断することができる。
なお、平板部分２２ａは、弱化部７から離間するにしたがって漸次下方（図７においては紙面上方）に向けて延在するように傾斜してもよい。
【００２９】
なお、本発明は上記実施形態に限定されるものではなく、本発明の趣旨を逸脱しない範囲において種々の変更を加えることができる。
例えば、操作部は、操作突片を引き上げる際に指を掛けるためのプルリングなど、他の構造であってもよい。
突片本体部は、一端部と他端部とが容器軸を径方向に挟む両側に各別に配置された構造となっているが、一端部と他端部とが容器軸を径方向に挟む両側に各別に配置されていなくてもよい。
突片本体部は、第３延在部分が本容器における注入口の開口端縁上を径方向で跨ぐように配置される構造となっているが、第３延在部分が本容器における注入口の開口端縁上を径方向で跨がないように配置される構造など、他の構造であってもよい。例えば、突片本体部は、閉塞板の上面、注出筒の外周面及び装着筒の上面に沿うように側面視Ｚ字状に屈曲しているが、本容器の注出口に差し込むことができれば、閉塞板の上面に沿うと共に操作部に対して直線状に繋がるように側面視Ｌ字状に屈曲した構造であってもよい。
注出筒は、注出口が形成された上端部が容器軸に対して斜めに傾斜した構造や上方に凸となるように湾曲状に傾斜した構造など、他の構造であってもよい。
【産業上の利用可能性】
【００３０】
この発明によれば、詰め替え作業を簡便に行うことができ、詰め替え時に内容物をこぼしにくく、また、本容器内の内容物が残留している場合であっても詰め替え作業を行うことができる詰め替え容器に関して、産業上の利用可能性が認められる。
【符号の説明】
【００３１】
１，２０  詰め替え容器、２  容器本体、３  注出筒、３ａ  注出口、４，２２  閉塞板、５  操作突片、７  弱化部、１１  突片本体部、１１ａ  一端部、１１ｂ  他端部、１２  操作部、２１  注出筒、２１ａ  当接部、２２ａ，２２ｂ  平板部分、Ｃ  本容器、Ｃａ  注入口、Ｏ  容器軸
【図１】
2014129116.tif 000003
【図２】
2014129116.tif 000004
【図３】
2014129116.tif 000005
【図４】
2014129116.tif 000006
【図５】
2014129116.tif 000007
【図６】
2014129116.tif 000008
【図７】
2014129116.tif 000009